(57)【要約】【課題】番組画面の視認性を確保し、且つ、チャンネルの選択を容易にする。【解決手段】デジタル放送受信機のＲＡＭ１２が、受信可能な番組毎に、チャンネルを識別する情報であるチャンネル識別情報、番組の開始時刻情報及び終了時刻情報を含む番組情報を格納する番組情報記憶部１２１を備え、ＭＰＵ１１が、番組情報記憶部１２１に格納された受信可能な番組の中から、現時点で受信可能な番組であって、且つ、予め設定された条件に合致する番組を検索し、検索された番組である適合番組に対応するチャンネル情報を取得する検索部１１４と、取得された適合番組のチャンネル情報をリモコンに送信する送信部１１５と、を備え、リモコンのＭＰＵ２６が、送信部１１５から送信された適合番組のチャンネル情報を受信し、第２ディスプレイ２２に表示する第２表示制御部２６１を備えている。【選択図】図５
2008141462.tif 000002
【特許請求の範囲】
【請求項１】
テレビジョン放送を受信し、外部から視認可能に第１モニタに出力可能に構成された放送受信装置と、外部から視認可能に表示する第２モニタ及び複数のキーが配設されると共に、前記放送受信装置と双方向に通信可能に接続されたリモートコントローラと、を備える放送受信システムであって、
前記放送受信装置は、
予め番組のジャンルを示す情報であるジャンル情報を格納するジャンル記憶手段と、
予め番組の登場人物の名称を示す情報である登場人物情報を格納する登場人物記憶手段と、
受信可能な番組毎に、チャンネルを識別する情報であるチャンネル識別情報、番組の開始時刻情報及び終了時刻情報、ジャンル情報、登場人物情報を含む番組情報を格納する番組情報記憶手段と、
予め設定されたタイミングで、テレビジョン放送を介して番組情報を取得する番組取得手段と、
前記番組取得手段によって取得された番組情報が、前記番組情報記憶手段に格納された番組情報と一致するか否かを判定する番組判定手段と、
前記番組判定手段によって一致しないと判定された場合に、前記番組取得手段によって取得された番組情報に含まれ、且つ、前記番組情報記憶手段に格納された番組情報に含まれない番組である更新番組を抽出する番組抽出手段と、
該放送受信装置の電源が投入された場合に、前記番組情報記憶手段に格納された受信可能な番組の中から、現時点で受信可能な番組であって、且つ、前記ジャンル記憶手段に格納されたジャンル情報に合致するジャンル情報を有する番組、及び、前記登場人物記憶手段に格納された登場人物情報に合致する登場人物情報を有する番組、の少なくとも一方を満たす番組を検索し、検索された番組である適合番組に対応するチャンネル情報、ジャンル情報及び登場人物情報を取得すると共に、
前記番組判定手段によって一致しないと判定された場合に、前記番組抽出手段によって抽出された更新番組の中から、現時点で受信可能な番組であって、且つ、前記ジャンル記憶手段に格納されたジャンル情報に合致するジャンル情報を有する番組、及び、前記登場人物記憶手段に格納された登場人物情報に合致する登場人物情報を有する番組、の少なくとも一方を満たす番組を検索し、検索された番組である適合番組に対応するチャンネル情報、ジャンル情報及び登場人物情報を取得する検索手段と、
前記検索手段によって取得された適合番組のチャンネル情報、ジャンル情報及び登場人物情報を前記リモートコントローラに送信する送信手段と、
前記検索手段によって取得された適合番組のチャンネル情報を前記第１モニタに表示する第１表示制御手段と、
を備え、
前記リモートコントローラは、
前記送信手段から送信された適合番組のチャンネル情報、ジャンル情報及び登場人物情報を受信し、前記第２モニタに対応付けて表示する第２表示制御手段を備え、
前記第２表示制御手段は、前記送信手段から送信された適合番組のチャンネル情報を受信した場合に、予め設定された所定期間だけ前記第２モニタを点滅させることを特徴とする放送受信システム。
【請求項２】
テレビジョン放送を受信し、外部から視認可能に第１モニタに出力可能に構成された放送受信装置と、外部から視認可能に表示する第２モニタ及び複数のキーが配設されると共に、前記放送受信装置と双方向に通信可能に接続されたリモートコントローラと、を備える放送受信システムであって、
前記放送受信装置は、
受信可能な番組毎に、チャンネルを識別する情報であるチャンネル識別情報、番組の開始時刻情報及び終了時刻情報を含む番組情報を格納する番組情報記憶手段と、
前記番組情報記憶手段に格納された受信可能な番組の中から、現時点で受信可能な番組であって、且つ、予め設定された条件に合致する番組を検索し、検索された番組である適合番組に対応するチャンネル情報を取得する検索手段と、
前記検索手段によって取得された適合番組のチャンネル情報を前記リモートコントローラに送信する送信手段と、
を備え、
前記リモートコントローラは、
前記送信手段から送信された適合番組のチャンネル情報を受信し、前記第２モニタに表示する第２表示制御手段を備えることを特徴とする放送受信システム。
【請求項３】
前記検索手段は、該放送受信装置の電源が投入された場合に、現時点で受信可能な番組であって、且つ、予め設定された条件に合致する番組を検索することを特徴とする請求項２に記載の放送受信システム。
【請求項４】
前記放送受信装置は、
予め設定されたタイミングで、テレビジョン放送を介して番組情報を取得する番組取得手段と、
前記番組取得手段によって取得された番組情報が、前記番組情報記憶手段に格納された番組情報と一致するか否かを判定する番組判定手段と、
前記番組判定手段によって一致しないと判定された場合に、前記番組取得手段によって取得された番組情報に含まれ、且つ、前記番組情報記憶手段に格納された番組情報に含まれない番組である更新番組を抽出する番組抽出手段と、
を備え、
前記検索手段は、前記番組判定手段によって一致しないと判定された場合に、前記番組抽出手段によって抽出された更新番組の中から、現時点で受信可能な番組であって、且つ、予め設定された条件に合致する番組を検索することを特徴とする請求項２又は請求項３に記載の放送受信システム。
【請求項５】
前記放送受信装置は、
予め番組のジャンルを示す情報であるジャンル情報を格納するジャンル記憶手段を備え、
前記番組情報記憶手段は、受信可能な番組毎にジャンル情報を格納し、
前記検索手段は、前記ジャンル記憶手段に格納されたジャンル情報に合致するジャンル情報を有する番組を前記適合番組として検索することを特徴とする請求項２〜請求項４のいずれかに記載の放送受信システム。
【請求項６】
前記送信手段は、前記検索手段によって取得された適合番組のジャンル情報を前記チャンネル情報と対応付けて前記リモートコントローラに送信し、
前記第２表示制御手段は、前記送信手段から送信された適合番組のジャンル情報を受信し、前記第２モニタに前記チャンネル情報と対応付けて表示することを特徴とする請求項５に記載の放送受信システム。
【請求項７】
前記放送受信装置は、
予め番組の登場人物の名称を示す情報である登場人物情報を格納する登場人物記憶手段を備え、
前記番組情報記憶手段は、受信可能な番組毎に前記登場人物情報を格納し、
前記検索手段は、前記登場人物記憶手段に格納された登場人物情報に合致する登場人物情報を有する番組を前記適合番組として検索することを特徴とする請求項２〜請求項６のいずれかに記載の放送受信システム。
【請求項８】
前記送信手段は、前記検索手段によって取得された適合番組の登場人物情報を前記チャンネル情報と対応付けて前記リモートコントローラに送信し、
前記第２表示制御手段は、前記送信手段から送信された適合番組の登場人物情報を受信し、前記第２モニタに前記チャンネル情報と対応付けて表示することを特徴とする請求項７に記載の放送受信システム。
【請求項９】
前記第２表示制御手段は、前記送信手段から送信された適合番組のチャンネル情報を受信した場合に、予め設定された所定期間だけ前記第２モニタを点滅させることを特徴とする請求項２〜請求項８のいずれかに記載の放送受信システム。
【請求項１０】
前記放送受信装置は、
前記検索手段によって取得された適合番組のチャンネル情報を前記第１モニタに表示する第１表示制御手段を備えることを特徴とする請求項２〜請求項９のいずれかに記載の放送受信システム。
【発明の詳細な説明】
【技術分野】
【０００１】
本発明は、テレビジョン放送を受信し、外部から視認可能に第１モニタに出力可能に構成された放送受信装置と、複数のキーが配設されると共に、前記放送受信装置と通信可能に接続されたリモートコントローラと、を備える放送受信システムに関する。特に、前記放送受信装置と、外部から視認可能に表示する第２モニタ及び複数のキーが配設されると共に、前記放送受信装置と双方向に通信可能に接続されたリモートコントローラと、を備える放送受信システムに関する。
【背景技術】
【０００２】
従来、テレビジョン放送を受信し、外部から視認可能にモニタに出力可能に構成された放送受信装置では、デジタル放送の普及に伴って、視聴可能なチャンネル数が飛躍的に増加し、ユーザが視聴を所望するチャンネルを選択することが困難になっている。
【０００３】
この課題を解消するために、種々の装置が提案されている。例えば、ユーザが予め設定したジャンル情報を有し、且つ、番組開始時刻が現在時刻の例えば１分以内である番組を告知番組とし、告知番組が存在するときには、「○○チャンネルで△△番組が始まります」等の告知メッセージを生成し、ＯＳＤとして受信中の番組画面に割り込ませて表示するデジタル放送受信装置が開示されている（特許文献１参照）。
【特許文献１】特開２００３−９０３３号公報
【発明の開示】
【発明が解決しようとする課題】
【０００４】
しかしながら、上記デジタル放送受信装置では、告知メッセージがＯＳＤとして受信中の番組画面に割り込まれて表示されるため、受信中の番組が決定的なシーン、盛り上がったシーン等（以下、注目シーンという）である場合に、その注目シーンの視認性を阻害する場合があった。また、視認性を阻害しない大きさでモニタに告知メッセージを表示する場合には、逆に、告知メッセージの視認性を確保できない場合があった。
【０００５】
本発明は、上記課題に鑑みてなされたものであって、番組画面の視認性を確保し、且つ、チャンネルの選択を容易にすることの可能な放送受信システムを提供することを目的としている。
【課題を解決するための手段】
【０００６】
上記目的を達成するために請求項１に記載の放送受信システムは、テレビジョン放送を受信し、外部から視認可能に第１モニタに出力可能に構成された放送受信装置と、外部から視認可能に表示する第２モニタ及び複数のキーが配設されると共に、前記放送受信装置と双方向に通信可能に接続されたリモートコントローラと、を備える放送受信システムであって、前記放送受信装置が、予め番組のジャンルを示す情報であるジャンル情報を格納するジャンル記憶手段と、予め番組の登場人物の名称を示す情報である登場人物情報を格納する登場人物記憶手段と、受信可能な番組毎に、チャンネルを識別する情報であるチャンネル識別情報、番組の開始時刻情報及び終了時刻情報、ジャンル情報、登場人物情報を含む番組情報を格納する番組情報記憶手段と、予め設定されたタイミングで、テレビジョン放送を介して番組情報を取得する番組取得手段と、前記番組取得手段によって取得された番組情報が、前記番組情報記憶手段に格納された番組情報と一致するか否かを判定する番組判定手段と、前記番組判定手段によって一致しないと判定された場合に、前記番組取得手段によって取得された番組情報に含まれ、且つ、前記番組情報記憶手段に格納された番組情報に含まれない番組である更新番組を抽出する番組抽出手段と、該放送受信装置の電源が投入された場合に、前記番組情報記憶手段に格納された受信可能な番組の中から、現時点で受信可能な番組であって、且つ、前記ジャンル記憶手段に格納されたジャンル情報に合致するジャンル情報を有する番組、及び、前記登場人物記憶手段に格納された登場人物情報に合致する登場人物情報を有する番組、の少なくとも一方を満たす番組を検索し、検索された番組である適合番組に対応するチャンネル情報、ジャンル情報及び登場人物情報を取得すると共に、前記番組判定手段によって一致しないと判定された場合に、前記番組抽出手段によって抽出された番組の中から、現時点で受信可能な番組であって、且つ、前記ジャンル記憶手段に格納されたジャンル情報に合致するジャンル情報を有する番組、及び、前記登場人物記憶手段に格納された登場人物情報に合致する登場人物情報を有する番組、の少なくとも一方を満たす番組を検索し、検索された番組である適合番組に対応するチャンネル情報、ジャンル情報及び登場人物情報を取得する検索手段と、前記検索手段によって取得された適合番組のチャンネル情報、ジャンル情報及び登場人物情報を前記リモートコントローラに送信する送信手段と、前記検索手段によって取得された適合番組のチャンネル情報を前記第１モニタに表示する第１表示制御手段と、を備え、前記リモートコントローラが、前記送信手段から送信された適合番組のチャンネル情報、ジャンル情報及び登場人物情報を受信し、前記第２モニタに対応付けて表示する第２表示制御手段を備え、前記第２表示制御手段が、前記送信手段から送信された適合番組のチャンネル情報を受信した場合に、予め設定された所定期間だけ前記第２モニタを点滅させることを特徴としている。
【０００７】
請求項２に記載の放送受信システムは、テレビジョン放送を受信し、外部から視認可能に第１モニタに出力可能に構成された放送受信装置と、外部から視認可能に表示する第２モニタ及び複数のキーが配設されると共に、前記放送受信装置と双方向に通信可能に接続されたリモートコントローラと、を備える放送受信システムであって、前記放送受信装置が、受信可能な番組毎に、チャンネルを識別する情報であるチャンネル識別情報、番組の開始時刻情報及び終了時刻情報を含む番組情報を格納する番組情報記憶手段と、前記番組情報記憶手段に格納された受信可能な番組の中から、現時点で受信可能な番組であって、且つ、予め設定された条件に合致する番組を検索し、検索された番組である適合番組に対応するチャンネル情報を取得する検索手段と、前記検索手段によって取得された適合番組のチャンネル情報を前記リモートコントローラに送信する送信手段と、を備え、前記リモートコントローラが、前記送信手段から送信された適合番組のチャンネル情報を受信し、前記第２モニタに表示する第２表示制御手段を備えることを特徴としている。
【０００８】
請求項３に記載の放送受信システムは、請求項２に記載の放送受信システムであって、前記検索手段が、該放送受信装置の電源が投入された場合に、現時点で受信可能な番組であって、且つ、予め設定された条件に合致する番組を検索することを特徴としている。
【０００９】
請求項４に記載の放送受信システムは、請求項２又は請求項３に記載の放送受信システムであって、前記放送受信装置が、予め設定されたタイミングで、テレビジョン放送を介して番組情報を取得する番組取得手段と、前記番組取得手段によって取得された番組情報が、前記番組情報記憶手段に格納された番組情報と一致するか否かを判定する番組判定手段と、前記番組判定手段によって一致しないと判定された場合に、前記番組取得手段によって取得された番組情報に含まれ、且つ、前記番組情報記憶手段に格納された番組情報に含まれない番組である更新番組を抽出する番組抽出手段と、を備え、前記検索手段が、前記番組判定手段によって一致しないと判定された場合に、前記番組抽出手段によって抽出された番組の中から、現時点で受信可能な番組であって、且つ、予め設定された条件に合致する番組を検索することを特徴としている。
【００１０】
請求項５に記載の放送受信システムは、請求項２〜請求項４のいずれかに記載の放送受信システムであって、前記放送受信装置が、予め番組のジャンルを示す情報であるジャンル情報を格納するジャンル記憶手段を備え、前記番組情報記憶手段が、受信可能な番組毎にジャンル情報を格納し、前記検索手段が、前記ジャンル記憶手段に格納されたジャンル情報に合致するジャンル情報を有する番組を前記適合番組として検索することを特徴としている。
【００１１】
請求項６に記載の放送受信システムは、請求項５に記載の放送受信システムであって、前記送信手段が、前記検索手段によって取得された適合番組のジャンル情報を前記チャンネル情報と対応付けて前記リモートコントローラに送信し、前記第２表示制御手段が、前記送信手段から送信された適合番組のジャンル情報を受信し、前記第２モニタに前記チャンネル情報と対応付けて表示することを特徴としている。
【００１２】
請求項７に記載の放送受信システムは、請求項２〜請求項６のいずれかに記載の放送受信システムであって、前記放送受信装置が、予め番組の登場人物の名称を示す情報である登場人物情報を格納する登場人物記憶手段を備え、前記番組情報記憶手段が、受信可能な番組毎に前記登場人物情報を格納し、前記検索手段が、前記登場人物記憶手段に格納された登場人物情報に合致する登場人物情報を有する番組を前記適合番組として検索することを特徴としている。
【００１３】
請求項８に記載の放送受信システムは、請求項７に記載の放送受信システムであって、前記送信手段が、前記検索手段によって取得された適合番組の登場人物情報を前記チャンネル情報と対応付けて前記リモートコントローラに送信し、前記第２表示制御手段が、前記送信手段から送信された適合番組の登場人物情報を受信し、前記第２モニタに前記チャンネル情報と対応付けて表示することを特徴としている。
【００１４】
請求項９に記載の放送受信システムは、請求項２〜請求項８のいずれかに記載の放送受信システムであって、前記第２表示制御手段が、前記送信手段から送信された適合番組のチャンネル情報を受信した場合に、予め設定された所定期間だけ前記第２モニタを点滅させることを特徴としている。
【００１５】
請求項１０に記載の放送受信システムは、請求項２〜請求項９のいずれかに記載の放送受信システムであって、前記放送受信装置が、前記検索手段によって取得された適合番組のチャンネル情報を前記第１モニタに表示する第１表示制御手段を備えることを特徴としている。
【発明の効果】
【００１６】
請求項１に記載の放送受信システムによれば、受信可能な番組毎に、チャンネルを識別する情報であるチャンネル識別情報、番組の開始時刻情報及び終了時刻情報を含む番組情報が番組情報記憶手段に格納されており、番組情報記憶手段に格納された受信可能な番組の中から、現時点で受信可能な番組であって、且つ、予め設定された条件に合致する番組が検索され、検索された番組である適合番組に対応するチャンネル情報が取得される。そして、取得された適合番組のチャンネル情報がリモートコントローラに送信され、リモートコントローラにおいて、送信された適合番組のチャンネル情報が受信され、リモートコントローラに配設された第２モニタに表示されるため、番組画面の視認性を確保し、且つ、チャンネルの選択を容易にすることができる。
【００１７】
すなわち、現時点で受信可能な番組であって、且つ、予め設定された条件に合致する番組である適合番組のチャンネル情報がリモートコントローラに配設された第２モニタに表示されるため、放送受信装置に配設された第１モニタに表示される番組画面の視認性を確保することができ、且つ、リモートコントローラに配設された第２モニタに表示された適合番組のチャンネル情報を用いてチャンネルの選択を行うことができるので、チャンネルの選択を容易にすることができるのである。
【００１８】
また、放送受信装置の電源が投入された場合に、現時点で受信可能な番組であって、且つ、予め設定された条件に合致する番組が検索されるため、電源が投入時に、適合番組のチャンネル情報がリモートコントローラに配設された第２モニタに表示されるので、番組画面の視認性を確保し、且つ、チャンネルの選択を更に容易にすることができる。
【００１９】
更に、予め設定されたタイミングで、テレビジョン放送を介して番組情報が取得され、取得された番組情報が、番組情報記憶手段に格納された番組情報と一致するか否かが判定される。そして、一致しないと判定された場合に、取得された番組情報に含まれ、且つ、番組情報記憶手段に格納された番組情報に含まれない番組である更新番組が抽出され、抽出された更新番組の中から、現時点で受信可能な番組であって、且つ、予め設定された条件に合致する番組が検索されるため、番組画面の視認性を確保し、且つ、チャンネルの選択を更に容易にすることができる。
【００２０】
すなわち、抽出された更新番組の中から適合番組が検索されるため、更新番組が抽出される度に（適合番組が更新番組に含まれる場合には）、適合番組のチャンネル情報がリモートコントローラに配設された第２モニタに表示されるので、番組画面の視認性を確保し、且つ、チャンネルの選択を更に容易にすることができるのである。
【００２１】
加えて、予め番組のジャンルを示す情報であるジャンル情報がジャンル記憶手段に格納されており、ジャンル記憶手段に格納されたジャンル情報に合致するジャンル情報を有する番組が適合番組として検索されるため、チャンネルの選択を更に容易にすることができる。
【００２２】
すなわち、ユーザが視聴を所望するジャンル情報を予めジャンル記憶手段に格納しておくことにより、ユーザが視聴を所望するジャンル情報を有する番組が適合番組として検索されるため、チャンネルの選択を更に容易にすることができるのである。
【００２３】
また、適合番組のジャンル情報がチャンネル情報と対応付けてリモートコントローラに送信され、送信された適合番組のジャンル情報が受信され、リモートコントローラに配設された第２モニタにチャンネル情報と対応付けて表示されるため、番組画面の視認性を確保し、且つ、チャンネルの選択を更に容易にすることができる。
【００２４】
更に、予め番組の登場人物の名称を示す情報である登場人物情報が登場人物記憶手段に格納されており、登場人物記憶手段に格納された登場人物情報に合致する登場人物情報を有する番組が適合番組として検索されるため、チャンネルの選択を更に容易にすることができる。
【００２５】
すなわち、ユーザが視聴を所望する登場人物情報を予め登場人物記憶手段に格納しておくことにより、ユーザが視聴を所望する登場人物情報を有する番組が適合番組として検索されるため、チャンネルの選択を更に容易にすることができるのである。
【００２６】
加えて、適合番組の登場人物情報がチャンネル情報と対応付けてリモートコントローラに送信され、送信された適合番組の登場人物情報が受信され、リモートコントローラに配設された第２モニタにチャンネル情報と対応付けて表示されるため、番組画面の視認性を確保し、且つ、チャンネルの選択を更に容易にすることができる。
【００２７】
また、放送受信装置から送信された適合番組のチャンネル情報を受信した場合に、予め設定された所定期間だけリモートコントローラに配設された第２モニタが点滅されるため、ユーザが、適合番組のチャンネル情報が受信されたことを視認し易くなるので、番組画面の視認性を確保し、且つ、チャンネルの選択を更に容易にすることができる。
【００２８】
更に、適合番組のチャンネル情報が放送受信装置に配設された第１モニタに表示されるため、チャンネルの選択を更に容易にすることができる。
【００２９】
すなわち、適合番組のチャンネル情報が、リモートコントローラに配設された第２モニタ及び放送受信装置に配設された第１モニタに表示されるため、ユーザは、リモートコントローラに配設された第２モニタを視認できない場合（例えば、リモートコントローラがユーザに近接した位置にはない場合等）であっても、第１モニタに表示された適合番組のチャンネル情報を視認することができるので、チャンネルの選択を更に容易にすることができるのである。
【００３０】
請求項２に記載の放送受信システムによれば、受信可能な番組毎に、チャンネルを識別する情報であるチャンネル識別情報、番組の開始時刻情報及び終了時刻情報を含む番組情報が番組情報記憶手段に格納されており、番組情報記憶手段に格納された受信可能な番組の中から、現時点で受信可能な番組であって、且つ、予め設定された条件に合致する番組が検索され、検索された番組である適合番組に対応するチャンネル情報が取得される。そして、取得された適合番組のチャンネル情報がリモートコントローラに送信され、リモートコントローラにおいて、送信された適合番組のチャンネル情報が受信され、リモートコントローラに配設された第２モニタに表示されるため、番組画面の視認性を確保し、且つ、チャンネルの選択を容易にすることができる。
【００３１】
すなわち、現時点で受信可能な番組であって、且つ、予め設定された条件に合致する番組である適合番組のチャンネル情報がリモートコントローラに配設された第２モニタに表示されるため、放送受信装置に配設された第１モニタに表示される番組画面の視認性を確保することができ、且つ、リモートコントローラに配設された第２モニタに表示された適合番組のチャンネル情報を用いてチャンネルの選択を行うことができるので、チャンネルの選択を容易にすることができるのである。
【００３２】
請求項３に記載の放送受信システムによれば、放送受信装置の電源が投入された場合に、現時点で受信可能な番組であって、且つ、予め設定された条件に合致する番組が検索されるため、電源が投入時に、適合番組のチャンネル情報がリモートコントローラに配設された第２モニタに表示されるので、番組画面の視認性を確保し、且つ、チャンネルの選択を更に容易にすることができる。
【００３３】
請求項４に記載の放送受信システムによれば、予め設定されたタイミングで、テレビジョン放送を介して番組情報が取得され、取得された番組情報が、番組情報記憶手段に格納された番組情報と一致するか否かが判定される。そして、一致しないと判定された場合に、取得された番組情報に含まれ、且つ、番組情報記憶手段に格納された番組情報に含まれない番組である更新番組が抽出され、抽出された更新番組の中から、現時点で受信可能な番組であって、且つ、予め設定された条件に合致する番組が検索されるため、番組画面の視認性を確保し、且つ、チャンネルの選択を更に容易にすることができる。
【００３４】
すなわち、抽出された更新番組の中から適合番組が検索されるため、更新番組が抽出される度に（適合番組が更新番組に含まれる場合には）、適合番組のチャンネル情報がリモートコントローラに配設された第２モニタに表示されるので、番組画面の視認性を確保し、且つ、チャンネルの選択を更に容易にすることができるのである。
【００３５】
請求項５に記載の放送受信システムによれば、予め番組のジャンルを示す情報であるジャンル情報がジャンル記憶手段に格納されており、ジャンル記憶手段に格納されたジャンル情報に合致するジャンル情報を有する番組が適合番組として検索されるため、チャンネルの選択を更に容易にすることができる。
【００３６】
すなわち、ユーザが視聴を所望するジャンル情報を予めジャンル記憶手段に格納しておくことにより、ユーザが視聴を所望するジャンル情報を有する番組が適合番組として検索されるため、チャンネルの選択を更に容易にすることができるのである。
【００３７】
請求項６に記載の放送受信システムによれば、適合番組のジャンル情報がチャンネル情報と対応付けてリモートコントローラに送信され、送信された適合番組のジャンル情報が受信され、リモートコントローラに配設された第２モニタにチャンネル情報と対応付けて表示されるため、番組画面の視認性を確保し、且つ、チャンネルの選択を更に容易にすることができる。
【００３８】
請求項７に記載の放送受信システムによれば、予め番組の登場人物の名称を示す情報である登場人物情報が登場人物記憶手段に格納されており、登場人物記憶手段に格納された登場人物情報に合致する登場人物情報を有する番組が適合番組として検索されるため、チャンネルの選択を更に容易にすることができる。
【００３９】
すなわち、ユーザが視聴を所望する登場人物情報を予め登場人物記憶手段に格納しておくことにより、ユーザが視聴を所望する登場人物情報を有する番組が適合番組として検索されるため、チャンネルの選択を更に容易にすることができるのである。
【００４０】
請求項８に記載の放送受信システムによれば、適合番組の登場人物情報がチャンネル情報と対応付けてリモートコントローラに送信され、送信された適合番組の登場人物情報が受信され、リモートコントローラに配設された第２モニタにチャンネル情報と対応付けて表示されるため、番組画面の視認性を確保し、且つ、チャンネルの選択を更に容易にすることができる。
【００４１】
請求項９に記載の放送受信システムによれば、放送受信装置から送信された適合番組のチャンネル情報を受信した場合に、予め設定された所定期間だけリモートコントローラに配設された第２モニタが点滅されるため、ユーザが、適合番組のチャンネル情報が受信されたことを視認し易くなるので、番組画面の視認性を確保し、且つ、チャンネルの選択を更に容易にすることができる。
【００４２】
請求項１０に記載の放送受信システムによれば、適合番組のチャンネル情報が放送受信装置に配設された第１モニタに表示されるため、チャンネルの選択を更に容易にすることができる。
【００４３】
すなわち、適合番組のチャンネル情報が、リモートコントローラに配設された第２モニタ及び放送受信装置に配設された第１モニタに表示されるため、ユーザは、リモートコントローラに配設された第２モニタを視認できない場合（例えば、リモートコントローラがユーザに近接した位置にはない場合等）であっても、第１モニタに表示された適合番組のチャンネル情報を視認することができるので、チャンネルの選択を更に容易にすることができるのである。
【発明を実施するための最良の形態】
【００４４】
以下に本発明の実施形態を、図面を参照しながら説明する。図１は、本発明に係るデジタル放送受信システムの一例を示す構成図である。デジタル放送受信システムは、デジタル放送受信機１と、リモートコントローラ（＝Ｒｅｍｏｔｅｃｏｎｔｒｏｌｌｅｒ：以下、「リモコン」という）２と、を備えている。デジタル放送受信機１（放送受信装置に相当する）は、リモコン２と赤外線通信を介して双方向に通信可能に接続されている。
【００４５】
デジタル放送受信機１は、リモコン２を介してユーザからの操作入力を受け付けて、テレビジョン放送を受信し、図２を用いて後述する第１ディスプレイ１８３に出力可能に構成されている。また、デジタル放送受信機１は、赤外線通信を介して種々の情報（ここでは、チャンネル情報、ジャンル情報、登場人物情報等）をリモコン２に送信するものである。
【００４６】
リモコン２は、ユーザからの操作入力を受け付けて、操作入力に対応する赤外線信号を生成して、デジタル放送受信機１に対して出力するものである。また、リモコン２は、赤外線通信を介してデジタル放送受信機１から種々の情報（ここでは、チャンネル情報、ジャンル情報、登場人物情報等）を受信し、後述する第２ディスプレイ２２に出力可能に構成されている。
【００４７】
図２は、デジタル放送受信機１の構成の一例を示すブロック図である。デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００４８】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００４９】
操作部１４は、電源のＯＮ、ＯＦＦ操作、選局等の各種操作を受け付けるものである。受信部１５（番組取得手段の一部に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００５０】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００５１】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００５２】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００５３】
画像出力部１８は、ＭＰＥＧ２デコード部１７によって復号化された動画像情報を出力するものであって、ＮＴＳＣエンコード部１８１、映像信号出力部１８２、及び、第１ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号を第１ディスプレイ１８３に対して出力するものである。第１ディスプレイ１８３（第１モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００５４】
赤外線通信部１９（送信手段の一部に相当する）は、リモコン２からの電源のＯＮ、ＯＦＦ操作、選局、デジタル放送受信機１の各種設定（視聴制限設定等）等の各種操作を受け付けると共に、リモコン２に対して、チャンネル情報、ジャンル情報、登場人物情報等を送信するものである。
【００５５】
次に、デジタル放送受信機１が放送を受信する場合の動作について説明する。まず、送信されてきたデジタル放送波がアンテナ部１５１で受信される。リモコン２（又は操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００５６】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、番組情報等を含む制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００５７】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介して第１ディスプレイ１８３に動画像が表示される。
【００５８】
図３は、図１に示すリモコン２の外観の一例を示す図である。リモコン２は、赤外線通信部２１、第２ディスプレイ２２、パワーキー２３、テンキー２４、及び、チャンネルキー２５を備えている。赤外線通信部２１（第２表示制御手段の一部に相当する）は、ユーザによって押下されたキーに対応する操作信号を生成し、赤外線信号に変換してデジタル放送受信機１に対して送信すると共に、デジタル放送受信機１からチャンネル情報、ジャンル情報、登場人物情報等に対応する赤外線信号を受信するものである。
【００５９】
第２ディスプレイ２２（第２モニタに相当する）は、ＬＣＤ等からなり、デジタル放送受信機１から赤外線通信部２１を介して受信されたチャンネル情報、ジャンル情報、登場人物情報等を表示するものである。パワーキー２３は、デジタル放送受信機１の電源を投入する場合、又は、電源を遮断する場合に押下されるキーである。テンキー２４は、「０」〜「９」の数字を受け付けるキーであって、チャンネル番号等を入力する場合に押下されるキーである。チャンネルキー２５は、予め設定された順序でチャンネルを変更する場合に押下されるキーである。
【００６０】
図４は、図１に示すリモコン２の電気的構成の一例を示す構成図である。リモコン２は、ＭＰＵ２６、ＲＡＭ２７、ＲＯＭ２８、及び、キー押下検出部２９を備えている。ＭＰＵ（Ｍｉｃｒｏ  Ｐｒｏｃｅｓｓｉｎｇ  Ｕｎｉｔ）２６は、リモコン２全体の動作を制御するものである。ＲＡＭ（Ｒａｎｄｏｍ  Ａｃｃｅｓｓ  Ｍｅｍｏｒｙ）２７は、キーを識別する情報であるキー識別情報等の各種情報を一時的に格納するものである。
【００６１】
ＲＯＭ（Ｒｅａｄ  Ｏｎｌｙ  Ｍｅｍｏｒｙ）２８は、ＭＰＵ２６を動作させる制御プログラム等を格納するものである。キー押下検出部２９は、図３に示すパワーキー２３、テンキー２４、及び、チャンネルキー２５等の各種キーが押下されたことを検出するものであって、各種キーに対応する操作検出信号をＭＰＵ２６に出力するものである。
【００６２】
また、ＭＰＵ２６は、各種キーに対応する操作検出信号がキー押下検出部２９から受け付けられた場合に、対応する操作信号を生成し、赤外線通信部２１を介してデジタル放送受信機１に送信するものである。また、ＭＰＵ２６は、赤外線通信部２１を介してデジタル放送受信機１からチャンネル情報、ジャンル情報、登場人物情報等を受信した場合に、これらの情報を第２ディスプレイ２２に表示するものである。
【００６３】
図５は、本発明に係る放送受信システムにおける主要部の構成の一例を示すブロック図である。図２に示すデジタル放送受信機１のＭＰＵ１１は、機能的に、番組取得部１１１、番組判定部１１２、番組抽出部１１３、検索部１１４、送信部１１５、及び、第１表示制御部１１６を備えている。また、図２に示すＲＡＭ１２は、機能的に、番組情報記憶部１２１、ジャンル記憶部１２２、及び、登場人物記憶部１２３を備えている。図３に示すリモコン２のＭＰＵ２６は、機能的に、第２表示制御部２６１を備えている。
【００６４】
ここでは、ＭＰＵ１１が、図２に示すＲＯＭ１３等に予め格納された制御プログラムを読み出して実行することにより、番組取得部１１１、番組判定部１１２、番組抽出部１１３、検索部１１４、送信部１１５、第１表示制御部１１６等の機能部として機能すると共に、ＲＡＭ１２を、番組情報記憶部１２１、ジャンル記憶部１２２、登場人物記憶部１２３等の機能部として機能させるものである。また、ＭＰＵ２６が、図４に示すＲＯＭ２８等に予め格納された制御プログラムを読み出して実行することにより、第２表示制御部２６１等の機能部として機能するものである。
【００６５】
また、図２に示すＲＡＭ１２、ＲＯＭ１３、図４に示すＲＡＭ２７、ＲＯＭ２８に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００６６】
番組情報記憶部１２１（番組情報記憶手段に相当する）は、受信可能な番組毎に、チャンネルを識別する情報であるチャンネル識別情報、番組の開始時刻情報及び終了時刻情報、ジャンル情報、登場人物情報を含む番組情報を格納するものである。また、番組情報記憶部１２１は、番組判定部１１２によって、番組取得部１１１により取得された番組情報が、番組情報記憶部１２１に格納された番組情報と一致しないと判定された場合に、番組情報記憶部１２１に格納された番組情報に換えて、番組取得部１１１により取得された番組情報が格納されるものである。
【００６７】
ジャンル記憶部１２２（ジャンル記憶手段に相当する）は、予め番組のジャンルを示す情報であるジャンル情報を格納するものである。ここでは、便宜上、リモコン２を介して操作入力が受け付けられ、受け付けられた操作入力に基づいて、予めジャンル情報が設定され、ジャンル記憶部１２２に格納されているものとする。なお、ジャンル記憶部１２２に格納されるジャンル情報は、例えば、スポーツ、ドラマ、映画、アニメ等のジャンル情報の中から、ユーザが視聴を所望するジャンル情報が設定されて格納されるものである。また、ここでは、番組取得部１１１によって取得されるＥＰＧ（Ｅｌｅｃｔｒｏｎｉｃ  Ｐｒｏｇｒａｍ  Ｇｕｉｄｅ）情報には、番組毎にジャンル情報が設定されているものとする。
【００６８】
登場人物記憶部１２３（登場人物記憶手段に相当する）は、予め番組の登場人物の名称を示す情報である登場人物情報を格納するものである。ここでは、便宜上、リモコン２を介して操作入力が受け付けられ、受け付けられた操作入力に基づいて、予め登場人物情報が設定され、登場人物記憶部１２３に格納されているものとする。なお、登場人物記憶部１２３に格納される登場人物情報は、例えば、番組に登場する俳優等の名前情報、役名情報等の中から、ユーザが視聴を所望する登場人物情報が設定されて格納されるものである。また、ここでは、番組取得部１１１によって取得されるＥＰＧ情報には、番組毎に登場人物情報が設定されているものとする。
【００６９】
番組取得部１１１（番組取得手段の一部に相当する）は、予め設定されたタイミングで（例えば、所定時間（例えば、３０秒）毎に）図２に示す受信部１５を介して、ＥＰＧ（Ｅｌｅｃｔｒｏｎｉｃ  Ｐｒｏｇｒａｍ  Ｇｕｉｄｅ）情報を取得し、受信可能な番組毎の、チャンネルを識別する情報であるチャンネル識別情報、番組の開始時刻情報及び終了時刻情報、番組名情報、ジャンル情報、登場人物情報を含む番組情報を取得するものである。
【００７０】
番組判定部１１２（番組判定手段に相当する）は、番組取得部１１１によって取得された番組情報が、番組情報記憶部１２１に格納された番組情報と一致するか否かを判定するものである。また、番組判定部１１２は、番組取得部１１１によって取得された番組情報が、番組情報記憶部１２１に格納された番組情報と一致しないと判定された場合に、番組情報記憶部１２１に格納された番組情報に換えて、番組取得部１１１によって取得された番組情報を番組情報記憶部１２１に格納するものである。
【００７１】
番組抽出部１１３（番組抽出手段に相当する）は、番組判定部１１２によって、番組取得部１１１により取得された番組情報が、番組情報記憶部１２１に格納された番組情報と一致しないと判定された場合に、番組取得部１１１によって取得された番組情報に含まれ、且つ、番組情報記憶部１２１に格納された番組情報に含まれない番組である更新番組を抽出するものである。すなわち、番組抽出部１１３は、新たに追加された番組の番組情報、及び、変更された番組の番組情報を抽出するものである。
【００７２】
検索部１１４（検索手段に相当する）は、デジタル放送受信機１の電源が投入された場合に、番組情報記憶部１２１に格納された受信可能な番組の中から、現時点で受信可能な番組であって、且つ、ジャンル記憶部１２２に格納されたジャンル情報に合致するジャンル情報を有する番組、及び、登場人物記憶部１２３に格納された登場人物情報に合致する登場人物情報を有する番組、の少なくとも一方を満たす番組を検索し、検索された番組である適合番組に対応するチャンネル情報、番組名情報、ジャンル情報及び登場人物情報を、番組情報記憶部１２１から取得するものである。なお、現時点で受信可能な番組であるか否かは、現在時刻と、番組情報記憶部１２１に格納された番組の開始時刻情報及び終了時刻情報と、によって判断される。
【００７３】
また、検索部１１４は、番組判定部１１２によって一致しないと判定された場合に、番組抽出部１１３によって抽出された更新番組の中から、現時点で受信可能な番組であって、且つ、ジャンル記憶部１２２に格納されたジャンル情報に合致するジャンル情報を有する番組、及び、登場人物記憶部１２３に格納された登場人物情報に合致する登場人物情報を有する番組、の少なくとも一方を満たす番組を検索し、検索された番組である適合番組に対応するチャンネル情報、番組名情報、ジャンル情報及び登場人物情報を、番組情報記憶部１２１から取得するものである。
【００７４】
送信部１１５（送信手段の一部に相当する）は、検索部１１４によって取得された適合番組のチャンネル情報、番組名情報、ジャンル情報及び登場人物情報をリモコン２に対して赤外線通信部１９を介して送信するものである。
【００７５】
第１表示制御部１１６（第１表示制御手段に相当する）は、検索部１１４によって取得された適合番組のチャンネル情報を第１ディスプレイ１８３に表示するものである。なお、ここでは、第１表示制御部１１６は、番組画面の視認性を阻害しないように、視認可能な最小限の大きさ（例えば、画面上で１０ｍｍ×１０ｍｍの大きさ）で、画面の端部（例えば、右上部）に、且つ、短期間（例えば、１０秒間）だけ適合番組のチャンネル情報を第１ディスプレイ１８３に表示するものである。
【００７６】
第２表示制御部２６１（第２表示制御手段の一部に相当する）は、送信部１１５から送信された適合番組のチャンネル情報、番組名情報、ジャンル情報及び登場人物情報を、赤外線通信部２１を介して受信し、第２ディスプレイ２２に対応付けて予め設定された所定期間（例えば、６０秒間）だけ表示するものである（図７参照）。また、第２表示制御部２６１は、送信部１１５から送信された適合番組の情報を受信した場合に、予め設定された所定期間（例えば、３秒間）だけ第２ディスプレイ２２を点滅させるものである。
【００７７】
図６は、デジタル放送受信機１（主にＭＰＵ１１）の動作の一例を示すフローチャートである。まず、検索部１１４によって、デジタル放送受信機１の電源が投入されたか否かの判定が行われる（Ｓ１０１）。電源が投入されたと判定された場合（Ｓ１０１でＹＥＳ）には、処理がステップＳ１０７に進められる。電源が投入されていない（＝電源がＯＮ状態のままである）と判定された場合（Ｓ１０１でＮＯ）には、番組取得部１１１によって、番組情報が取得されたか否かの判定が行われる（Ｓ１０３）。番組情報が取得されていないと判定された場合（Ｓ１０３でＮＯ）には、処理がステップＳ１０１に戻され、ステップＳ１０１以降の処理が繰り返し実行される。
【００７８】
番組情報が取得されたと判定された場合（Ｓ１０３でＹＥＳ）には、番組判定部１１２によって、ステップＳ１０３において取得された番組情報が、番組情報記憶部１２１に格納された番組情報と一致するか否かの判定が行われる（Ｓ１０５）。一致すると判定された場合（Ｓ１０５でＹＥＳ）には、処理がステップＳ１０１に戻され、ステップＳ１０１以降の処理が繰り返し実行される。一致しないと判定された場合（Ｓ１０５でＹＥＳ）には、番組抽出部１１３によって、新たに追加された番組の番組情報、及び、変更された番組の番組情報が抽出される（Ｓ１０７）。
【００７９】
ステップＳ１０７の処理が終了した場合、又は、ステップＳ１０１でＹＥＳの場合には、検索部１１４によって、ジャンル記憶部１２２に格納されたジャンル情報が読み出される（Ｓ１０９）。次いで、検索部１１４によって、登場人物記憶部１２３に格納された登場人物情報が読み出される（Ｓ１１１）。次に、検索部１１４によって、番組情報記憶部１２１に格納された受信可能な番組（又は、ステップＳ１０７で抽出された番組）の中から、現時点で受信可能な番組であって、且つ、ステップＳ１０９で読み出されたジャンル情報に合致するジャンル情報を有する番組、及び、ステップＳ１１１で読み出された登場人物情報に合致する登場人物情報を有する番組、の少なくとも一方を満たす番組である適合番組が検索される（Ｓ１１３）。
【００８０】
そして、送信部１１５によって、ステップＳ１１３で検索された適合番組が有るか否かの判定が行われる（Ｓ１１５）。適合番組が無いと判定された場合（Ｓ１１５でＮＯ）には、処理がステップＳ１０１に戻され、ステップＳ１０１以降の処理が繰り返し実行される。適合番組が有ると判定された場合（Ｓ１１５でＹＥＳ）には、第１表示制御部１１６によって、適合番組のチャンネル情報が第１ディスプレイ１８３に表示される（Ｓ１１７）。そして、送信部１１５によって、適合番組のチャンネル情報、ジャンル情報及び登場人物情報がリモコン２に対して送信され（Ｓ１１９）、処理が終了される。
【００８１】
図７は、第２表示制御部２６１によって、第２ディスプレイ２２に表示される適合番組表示画面の一例を示す画面図である。適合番組表示画面３００には、左側から順に、チャンネル番号表示部３０１、番組名表示部３０２、ジャンル表示部３０３、登場人物表示部３０４が表示されている。チャンネル番号表示部３０１は、適合番組のチャンネル番号を表示するものである。番組名表示部３０２は、適合番組の番組名を表示するものである。ジャンル表示部３０３は、適合番組のジャンルを表示するものである。登場人物表示部３０４は、適合番組の登場人物の内、登場人物記憶部１２３に格納された登場人物情報に対応する登場人物を表示するものである。チャンネル番号表示部３０１、番組名表示部３０２、ジャンル表示部３０３、登場人物表示部３０４は、適合番組毎に、対応付けて（ここでは、横方向に一行として）表示されている。
【００８２】
このようにして、受信可能な番組毎に、チャンネルを識別する情報であるチャンネル識別情報、番組の開始時刻情報及び終了時刻情報を含む番組情報が番組情報記憶部１２１に格納されており、番組情報記憶部１２１に格納された受信可能な番組の中から、現時点で受信可能な番組であって、且つ、予め設定された条件に合致する番組が検索され、検索された番組である適合番組に対応するチャンネル情報が取得される。そして、取得された適合番組のチャンネル情報がリモコン２に送信され、リモコン２において、送信された適合番組のチャンネル情報が受信され、リモコン２に配設された第２ディスプレイ２２に表示されるため、番組画面の視認性を確保し、且つ、チャンネルの選択を容易にすることができる。
【００８３】
すなわち、現時点で受信可能な番組であって、且つ、予め設定された条件に合致する番組である適合番組のチャンネル情報がリモコン２に配設された第２ディスプレイ２２に表示されるため、デジタル放送受信機１に配設された第１ディスプレイ１８３に表示される番組画面の視認性を確保することができ、且つ、リモコン２に配設された第２ディスプレイ２２に表示された適合番組のチャンネル情報を用いてチャンネルの選択を行うことができるので、チャンネルの選択を容易にすることができるのである。
【００８４】
また、デジタル放送受信機１の電源が投入された場合に、現時点で受信可能な番組であって、且つ、予め設定された条件に合致する番組が検索されるため、電源が投入時に、適合番組のチャンネル情報がリモコン２に配設された第２ディスプレイ２２に表示されるので、番組画面の視認性を確保し、且つ、チャンネルの選択を更に容易にすることができる。
【００８５】
更に、予め設定されたタイミング（例えば、所定時間（例えば、３０秒）毎に）で、受信部１５を介して番組情報が取得され、取得された番組情報が、番組情報記憶部１２１に格納された番組情報と一致するか否かが判定される。そして、一致しないと判定された場合に、取得された番組情報に含まれ、且つ、番組情報記憶部１２１に格納された番組情報に含まれない番組である更新番組が抽出され、抽出された更新番組の中から、現時点で受信可能な番組であって、且つ、予め設定された条件に合致する番組が検索されるため、番組画面の視認性を確保し、且つ、チャンネルの選択を更に容易にすることができる。
【００８６】
すなわち、抽出された更新番組の中から適合番組が検索されるため、更新番組が抽出される度に（適合番組が更新番組に含まれる場合には）、適合番組のチャンネル情報がリモコン２に配設された第２ディスプレイ２２に表示されるので、番組画面の視認性を確保し、且つ、チャンネルの選択を更に容易にすることができるのである。
【００８７】
加えて、予め番組のジャンルを示す情報であるジャンル情報がジャンル記憶部１２２に格納されており、ジャンル記憶部１２２に格納されたジャンル情報に合致するジャンル情報を有する番組が適合番組として検索されるため、チャンネルの選択を更に容易にすることができる。
【００８８】
すなわち、ユーザが視聴を所望するジャンル情報を予めジャンル記憶部１２２に格納しておくことにより、ユーザが視聴を所望するジャンル情報を有する番組が適合番組として検索されるため、チャンネルの選択を更に容易にすることができるのである。
【００８９】
また、適合番組のジャンル情報がチャンネル情報と対応付けてリモコン２に送信され、送信された適合番組のジャンル情報が受信され、リモコン２に配設された第２ディスプレイ２２にチャンネル情報と対応付けて表示されるため、番組画面の視認性を確保し、且つ、チャンネルの選択を更に容易にすることができる。
【００９０】
更に、予め番組の登場人物の名称を示す情報である登場人物情報が登場人物記憶部１２３に格納されており、登場人物記憶部１２３に格納された登場人物情報に合致する登場人物情報を有する番組が適合番組として検索されるため、チャンネルの選択を更に容易にすることができる。
【００９１】
すなわち、ユーザが視聴を所望する登場人物情報を予め登場人物記憶部１２３に格納しておくことにより、ユーザが視聴を所望する登場人物情報を有する番組が適合番組として検索されるため、チャンネルの選択を更に容易にすることができるのである。
【００９２】
加えて、適合番組の登場人物情報がチャンネル情報と対応付けてリモコン２に送信され、送信された適合番組の登場人物情報が受信され、リモコン２に配設された第２ディスプレイ２２にチャンネル情報と対応付けて表示されるため、番組画面の視認性を確保し、且つ、チャンネルの選択を更に容易にすることができる。
【００９３】
また、デジタル放送受信機１から送信された適合番組のチャンネル情報を受信した場合に、予め設定された所定期間（例えば、３秒間）だけリモコン２に配設された第２ディスプレイ２２が点滅されるため、ユーザが、適合番組のチャンネル情報が受信されたことを視認し易くなるので、番組画面の視認性を確保し、且つ、チャンネルの選択を更に容易にすることができる。
【００９４】
更に、適合番組のチャンネル情報がデジタル放送受信機１に配設された第１ディスプレイ１８３に表示されるため、チャンネルの選択を更に容易にすることができる。
【００９５】
すなわち、適合番組のチャンネル情報が、リモコン２に配設された第２ディスプレイ２２及びデジタル放送受信機１に配設された第１ディスプレイ１８３に表示されるため、ユーザは、リモコン２に配設された第２ディスプレイ２２を視認できない場合（例えば、リモコン２がユーザに近接した位置にはない場合等）であっても、第１ディスプレイ１８３に表示された適合番組のチャンネル情報を視認することができるので、チャンネルの選択を更に容易にすることができるのである。
【００９６】
また、ここでは、適合番組のチャンネル情報が、視認可能な最小限の大きさ（例えば、画面上で１０ｍｍ×１０ｍｍの大きさ）で、画面の端部（例えば、右上部）に、且つ、短期間（例えば、１０秒間）だけ、第１ディスプレイ１８３に表示されるため、番組画面の視認性を確保することができる。
【００９７】
なお、本発明は、以下の形態にも適用可能である。
（Ａ）本実施形態では、放送受信装置が、デジタル放送受信機１である場合について説明したが、放送受信システムが、テレビジョン放送を受信し、外部から視認可能に第１ディスプレイ１８３に出力するであればよい。例えば、放送受信システムが、アナログ放送を受信する形態でもよいし、アナログ放送及びデジタル放送を受信する形態でもよい。ただし、ＥＰＧ（Ｅｌｅｃｔｒｏｎｉｃ  Ｐｒｏｇｒａｍ  Ｇｕｉｄｅ）情報等を介して、番組情報を取得可能に構成されている必要がある。
【００９８】
（Ｂ）本実施形態では、第１モニタが、デジタル放送受信機１に配設された第１ディスプレイ１８３である場合について説明したが、第１モニタが、デジタル放送受信機１とは別の装置として構成されている形態でもよい。例えば、第１モニタが、パーソナルコンピュータ等に配設されたモニタである形態でもよい。
【００９９】
（Ｃ）本実施形態では、ジャンル記憶部１２２及び登場人物記憶部１２３に、それぞれ、予めジャンル情報及び登場人物情報が格納されている場合について説明したが、リモコン２等を介してユーザからの操作入力を受け付けて、受け付けられた操作入力に基づいて、ジャンル情報及び登場人物情報の少なくとも一方を設定し、ジャンル記憶部１２２及び登場人物記憶部１２３に格納する形態でもよい。この場合には、チャンネルの選択を更に容易にすることができる。
【０１００】
（Ｄ）本実施形態では、検索部１１４が、現時点で受信可能な番組の中から適合番組を検索する場合について説明したが、検索部１１４が、現時点から所定時間内（例えば、１０分間）に受信可能な番組の中から適合番組を検索する形態でもよい。この場合には、チャンネルの選択を更に容易にすることができる。
【０１０１】
（Ｅ）本実施形態では、検索部１１４が、ジャンル情報及び登場人物情報に基づいて適合番組を検索する場合について説明したが、検索部１１４が、その他の情報に基づいて適合番組を検索する形態でもよい。例えば、検索部１１４が、番組名情報に基づいて適合番組を検索する形態でもよい。
【図面の簡単な説明】
【０１０２】
【図１】は、本発明に係るデジタル放送受信システムの一例を示す構成図である。
【図２】は、デジタル放送受信機の構成の一例を示すブロック図である。
【図３】は、図１に示すリモコンの外観の一例を示す図である。
【図４】は、図１に示すリモコンの電気的構成の一例を示す構成図である。
【図５】は、本発明に係る放送受信システムにおける主要部の構成の一例を示すブロック図である。
【図６】は、デジタル放送受信機（主にＭＰＵ）の動作の一例を示すフローチャートである。
【図７】は、第２表示制御部によって、第２ディスプレイに表示される適合番組表示画面の一例を示す画面図である。
【符号の説明】
【０１０３】
１    デジタル放送受信機（放送受信装置）
１１    ＭＰＵ
１１１    番組取得部（番組取得手段の一部）
１１２    番組判定部（番組判定手段）
１１３    番組抽出部（番組抽出手段）
１１４    検索部（検索手段）
１１５    送信部（送信手段の一部）
１１６    第１表示制御部（第１表示制御手段）
１２    ＲＡＭ
１２１    番組情報記憶部（番組情報記憶手段）
１２２    ジャンル記憶部（ジャンル記憶手段）
１２３    登場人物記憶部（登場人物記憶手段）
１５    受信部（番組取得手段の一部）
１８    画像出力部
１８３    第１ディスプレイ（第１モニタ）
１９    赤外線通信部（送信手段の一部）
２    リモコン
２１    赤外線通信部（第２表示制御手段の一部）
２２    第２ディスプレイ（第２モニタ）
２６    ＭＰＵ
２６１    第２表示制御部（第２表示制御手段の一部）
２７    ＲＡＭ
【図１】
2008141462.tif 000003
【図２】
2008141462.tif 000004
【図３】
2008141462.tif 000005
【図４】
2008141462.tif 000006
【図５】
2008141462.tif 000007
【図６】
2008141462.tif 000008
【図７】
2008141462.tif 000009